(57)【特許請求の範囲】
【請求項１】
円筒状のコア基準面の軸方向に延びるスロットが当該コア基準面の周方向に複数分散配置されてなる電機子コアと、前記電機子コアに巻装されるコイルと、を備えた回転電機用電機子であって、
前記コイルは、前記スロット内に配置される導体辺部と、前記導体辺部から延びて前記電機子コアから軸方向両側に突出する一対の突出部と、を備えるセグメント導体を複数用いて構成され、
前記導体辺部は、前記スロット内において前記コア基準面の径方向一方側である径第一方向側から径方向他方側である径第二方向側に向かって順に設定された第一層から第Ｎ層（Ｎは２以上の偶数）までのいずれかの層に配置され、
前記コイルは、異なる前記スロット内の互いに隣接する層に前記導体辺部が配置された一対の前記セグメント導体の前記突出部同士を、前記コア基準面の周方向一方側である周第一方向側に向かって軸方向一方側と軸方向他方側とで交互に順次接合してなる波巻コイル部を複数備え、
前記波巻コイル部は、一方の端部である第一端部が第一層に前記導体辺部が配置された前記セグメント導体の前記突出部に設けられ、他方の端部である第二端部が第Ｎ層に前記導体辺部が配置された前記セグメント導体の前記突出部に設けられ、
前記コア基準面の周方向に互いにずらして配置された２つの前記波巻コイル部の前記第二端部同士が接合されて波巻コイルセットが形成されており、
前記波巻コイルセットを構成する一方の前記波巻コイル部の前記第二端部が設けられた前記突出部が異形突出部とされ、
前記異形突出部は、当該異形突出部を備える前記セグメント導体である異形セグメント導体の他方の突出部と前記コア基準面の周方向に関する延在方向が同じ方向とされ、前記第Ｎ層に前記導体辺部が配置されるとともに前記異形突出部を備えない前記セグメント導体である通常セグメント導体の前記突出部である通常突出部に対して、前記径第二方向側にオフセットされたオフセット領域を有し、当該オフセット領域で前記コア基準面の径方向に見て前記通常突出部と交差するように配置されている回転電機用電機子。
【請求項２】
前記通常セグメント導体は、前記一対の突出部の内の前記第一端部側の突出部が、延出元の前記導体辺部から前記周第一方向とは反対側の周第二方向側へ向かって延びるように形成され、前記一対の突出部の内の前記第二端部側の突出部が、延出元の前記導体辺部から前記周第一方向側へ向かって延びるように形成され、
前記異形セグメント導体は、前記一対の突出部の双方が、延出元の前記導体辺部から前記周第二方向側へ向かって延びるように形成されている請求項１に記載の回転電機用電機子。
【請求項３】
前記コア基準面の軸方向における前記電機子コアに対して前記異形突出部が配置される側が軸第一方向であり、前記軸第一方向とは反対側が軸第二方向であり、
前記導体辺部が奇数番目の層に配置された前記通常セグメント導体は、前記軸第一方向側の前記突出部が、延出元の前記導体辺部から前記周第二方向側へ向かって延びるように形成されているとともに、前記軸第二方向側の突出部が、延出元の前記導体辺部から前記周第一方向側へ向かって延びるように形成され、
前記導体辺部が偶数番目の層に配置された前記通常セグメント導体は、前記軸第一方向側の前記突出部が、延出元の前記導体辺部から前記周第一方向側へ向かって延びるように形成されているとともに、前記軸第二方向側の突出部が、延出元の前記導体辺部から前記周第二方向側へ向かって延びるように形成されている請求項２に記載の回転電機用電機子。
【請求項４】
前記波巻コイルセットが備える前記第二端部同士の接合部は、前記コア基準面の径方向に見て、当該波巻コイルセットを構成する一方の前記波巻コイル部内の前記突出部同士の接合部と重複する位置に配置されている請求項１から３のいずれか一項に記載の回転電機用電機子。
【請求項５】
接合の対象となる一対の前記突出部の少なくとも一方は、前記コア基準面の径方向における他方の前記突出部に近づく側に先端部をオフセットするためのオフセット屈曲部を備え、当該一対の前記突出部は、それぞれの先端部に形成された接合面同士が互いに前記コア基準面の周方向に対向して接合されている請求項１から４のいずれか一項に記載の回転電機用電機子。
【請求項６】
前記コイルは、複数の前記異形突出部を備え、
全ての前記異形突出部が、前記電機子コアに対して前記コア基準面の軸方向における同じ側に配置されている請求項１から５のいずれか一項に記載の回転電機用電機子。
【請求項７】
前記異形突出部が第一異形突出部であり、前記通常突出部が第一通常突出部であり、
前記コイルは、第一相、第二相、及び第三相の各相に対応した相コイルを備え、
前記電機子コアには、前記第一相用の互いに隣接する２つの前記スロットと、前記第二相用の互いに隣接する２つの前記スロットと、前記第三相用の互いに隣接する２つの前記スロットとが、記載の順に周方向に沿って繰り返し現れるように配置されており、
各相コイルは、２つの前記波巻コイルセットを備え、
前記２つの波巻コイルセットのそれぞれは、前記コア基準面の周方向に互いに１磁極ピッチ分ずらして配置された２つの前記波巻コイル部により構成されているとともに、各波巻コイルセットの一方の前記波巻コイル部が備える前記第一端部同士が接合されて波巻コイルセット間接合部が形成されており、
前記波巻コイルセット間接合部で接合される一方の前記第一端部が設けられた前記突出部が第二異形突出部とされ、
前記第二異形突出部は、当該第二異形突出部を備える前記セグメント導体の他方の突出部と前記コア基準面の周方向に関する延在方向が同じ方向とされ、前記第一層に前記導体辺部が配置されるとともに前記第二異形突出部を備えない前記セグメント導体の前記突出部である第二通常突出部に対して、前記径第一方向側にオフセットされたオフセット領域を有し、当該オフセット領域で前記コア基準面の径方向に見て前記第二通常突出部と交差するように配置されている請求項１から６のいずれか一項に記載の回転電機用電機子。
【請求項８】
前記コイルは、第一相、第二相、及び第三相の各相に対応した相コイルを備え、
前記電機子コアには、前記第一相用の互いに隣接する２つの前記スロットと、前記第二相用の互いに隣接する２つの前記スロットと、前記第三相用の互いに隣接する２つの前記スロットとが、記載の順に周方向に沿って繰り返し現れるように配置されており、
各相コイルは、２つの前記波巻コイルセットを備え、
前記２つの波巻コイルセットのそれぞれは、前記コア基準面の周方向に互いに１磁極ピッチと１スロットピッチとの和或いは差の分だけずらして配置された２つの前記波巻コイル部により構成されており、
前記２つの波巻コイルセットは、互いに並列に接続されている請求項１から６のいずれか一項に記載の回転電機用電機子。
【発明の詳細な説明】
【技術分野】
【０００１】
本発明は、円筒状のコア基準面の軸方向に延びるスロットが当該コア基準面の周方向に複数分散配置されてなる電機子コアと、電機子コアに巻装されるコイルと、を備えた回転電機用電機子に関する。
【背景技術】
【０００２】
回転電機用電機子においてコイルの占積率を高めるために、断面形状が矩形のセグメント導体を電機子コアのスロット内に規則的に配置し、電機子コアに対して軸方向に突出する異なるセグメント導体の突出部同士を接合してコイルを形成する技術が既に知られている（例えば、特許文献１参照）。そして、このようなコイルを備える構成では、特許文献１の図５に示されているように、セグメント導体の突出部を規則的に配置することで、コイルエンド部の小型化を図ることができる。
【０００３】
ところで、コイルは通常、電機子コアに対して複数ターン巻回されて構成されるが、異なるターン間の接合部の全てを、ターン内の突出部同士の接合部と同じ形態とするのは一般的に困難である。そのため、コイルエンド部を小型化するためには、そのような他とは形態の異なる接合部（以下「異形接合部」という。）を適切に構成する必要がある。上記特許文献１の構成では、当該文献の図６に示される結線部１０３による突出部同士の接合部が異形接合部となっている。しかしながら、特許文献１には、コイルエンド部の小型化の観点からこの異形接合部の構成に言及した記載は一切なく、当該異形接合部の構成によっては、コイルエンド部が軸方向に大型化するおそれがある。
【先行技術文献】
【特許文献】
【０００４】
【特許文献１】特開２０００−６９７２９号公報
【発明の概要】
【発明が解決しようとする課題】
【０００５】
そこで、異形接合部に起因するコイルエンド部の軸方向の大型化が抑制された回転電機用電機子の実現が望まれる。
【課題を解決するための手段】
【０００６】
本発明に係る、円筒状のコア基準面の軸方向に延びるスロットが当該コア基準面の周方向に複数分散配置されてなる電機子コアと、前記電機子コアに巻装されるコイルと、を備えた回転電機用電機子の特徴構成は、前記コイルは、前記スロット内に配置される導体辺部と、前記導体辺部から延びて前記電機子コアから軸方向両側に突出する一対の突出部と、を備えるセグメント導体を複数用いて構成され、前記導体辺部は、前記スロット内において前記コア基準面の径方向一方側である径第一方向側から径方向他方側である径第二方向側に向かって順に設定された第一層から第Ｎ層（Ｎは２以上の偶数）までのいずれかの層に配置され、前記コイルは、異なる前記スロット内の互いに隣接する層に前記導体辺部が配置された一対の前記セグメント導体の前記突出部同士を、前記コア基準面の周方向一方側である周第一方向側に向かって軸方向一方側と軸方向他方側とで交互に順次接合してなる波巻コイル部を複数備え、前記波巻コイル部は、一方の端部である第一端部が第一層に前記導体辺部が配置された前記セグメント導体の前記突出部に設けられ、他方の端部である第二端部が第Ｎ層に前記導体辺部が配置された前記セグメント導体の前記突出部に設けられ、前記コア基準面の周方向に互いにずらして配置された２つの前記波巻コイル部の前記第二端部同士が接合されて波巻コイルセットが形成されており、前記波巻コイルセットを構成する一方の前記波巻コイル部の前記第二端部が設けられた前記突出部が異形突出部とされ、前記異形突出部は、当該異形突出部を備える前記セグメント導体である異形セグメント導体の他方の突出部と前記コア基準面の周方向に関する延在方向が同じ方向とされ、前記第Ｎ層に前記導体辺部が配置されるとともに前記異形突出部を備えない前記セグメント導体である通常セグメント導体の前記突出部である通常突出部に対して、前記径第二方向側にオフセットされたオフセット領域を有し、当該オフセット領域で前記コア基準面の径方向に見て前記通常突出部と交差するように配置されている点にある。
【０００７】
本願では、「回転電機」は、モータ（電動機）、ジェネレータ（発電機）、及び必要に応じてモータ及びジェネレータの双方の機能を果たすモータ・ジェネレータのいずれをも含む概念として用いている。
また、「周方向に関する延在方向」は、周第一方向、及び周第一方向とは反対側の周第二方向に加え、周方向に延在しないことを含む概念として用いている。
【０００８】
この特徴構成によれば、２つの波巻コイル部の第二端部同士の接合部が異形接合部となる。そして、この異形接合部で接合される一方の突出部は、径方向のオフセット領域を有する異形突出部とされ、当該オフセット領域で通常突出部と径方向に見て交差するように配置される。すなわち、異形突出部は、径方向に見て通常突出部と重複する位置に配置される。よって、異形接合部に起因するコイルエンド部の軸方向の大型化を抑制することができる。
また、上記の特徴構成によれば、波巻コイルセットの双方の端部が、第一層に導体辺部が配置されたセグメント導体の突出部に設けられた第一端部となる。すなわち、波巻コイルセットの双方の端部は、コイルエンド部における径方向の同じ側に位置する。よって、動力線や中性点を形成するための配線の取り回しが容易となり、回転電機用電機子の製造性を向上させることができる。
【０００９】
ここで、前記通常セグメント導体は、前記一対の突出部の内の前記第一端部側の突出部が、延出元の前記導体辺部から前記周第一方向とは反対側の周第二方向側へ向かって延びるように形成され、前記一対の突出部の内の前記第二端部側の突出部が、延出元の前記導体辺部から前記周第一方向側へ向かって延びるように形成され、前記異形セグメント導体は、前記一対の突出部の双方が、延出元の前記導体辺部から前記周第二方向側へ向かって延びるように形成されていると好適である。
【００１０】
この構成によれば、接合の対象となる一対の突出部のそれぞれを、延出元の導体辺部から周方向の互いに近づく側に屈曲して延びる構成とすることができ、突出部が占める軸方向のスペースを小さく抑えてコイルエンド部の軸方向における小型化を図ることができる。
【００１１】
さらに、前記コア基準面の軸方向における前記電機子コアに対して前記異形突出部が配置される側が軸第一方向であり、前記軸第一方向とは反対側が軸第二方向であり、前記導体辺部が奇数番目の層に配置された前記通常セグメント導体は、前記軸第一方向側の前記突出部が、延出元の前記導体辺部から前記周第二方向側へ向かって延びるように形成されているとともに、前記軸第二方向側の突出部が、延出元の前記導体辺部から前記周第一方向側へ向かって延びるように形成され、前記導体辺部が偶数番目の層に配置された前記通常セグメント導体は、前記軸第一方向側の前記突出部が、延出元の前記導体辺部から前記周第一方向側へ向かって延びるように形成されているとともに、前記軸第二方向側の突出部が、延出元の前記導体辺部から前記周第二方向側へ向かって延びるように形成されていると好適である。
【００１２】
この構成によれば、通常セグメント導体を互いに干渉させることなく規則的に配置することができ、コイルエンド部の小型化を軸方向及び径方向の双方で図ることができる。
【００１３】
また、前記波巻コイルセットが備える前記第二端部同士の接合部は、前記コア基準面の径方向に見て、当該波巻コイルセットを構成する一方の前記波巻コイル部内の前記突出部同士の接合部と重複する位置に配置されていると好適である。
【００１４】
この構成によれば、接合部の位置が周方向や軸方向に分散することを抑制することができ、製造工程の簡素化を図ることができる。
【００１５】
また、接合の対象となる一対の前記突出部の少なくとも一方は、前記コア基準面の径方向における他方の前記突出部に近づく側に先端部をオフセットするためのオフセット屈曲部を備え、当該一対の前記突出部は、それぞれの先端部に形成された接合面同士が互いに前記コア基準面の周方向に対向して接合されていると好適である。
【００１６】
この構成によれば、径方向に隣接する接合部の距離を適切に確保して、接合部間の電気的絶縁性を確保することができる。
【００１７】
また、前記コイルは、複数の前記異形突出部を備え、全ての前記異形突出部が、前記電機子コアに対して前記コア基準面の軸方向における同じ側に配置されていると好適である。
【００１８】
この構成によれば、異形突出部が備えるオフセット領域のオフセット量に応じたコイルエンド部の径方向の大型化を、電機子コアに対して軸方向一方側のみにすることができる。これにより、回転電機用電機子とともに回転電機を構成する界磁を電機子に組み付ける際に、界磁と異形突出部との干渉を抑制することができる。
【００１９】
また、前記異形突出部が第一異形突出部であり、前記通常突出部が第一通常突出部であり、前記コイルは、第一相、第二相、及び第三相の各相に対応した相コイルを備え、前記電機子コアには、前記第一相用の互いに隣接する２つの前記スロットと、前記第二相用の互いに隣接する２つの前記スロットと、前記第三相用の互いに隣接する２つの前記スロットとが、記載の順に周方向に沿って繰り返し現れるように配置されており、各相コイルは、２つの前記波巻コイルセットを備え、前記２つの波巻コイルセットのそれぞれは、前記コア基準面の周方向に互いに１磁極ピッチ分ずらして配置された２つの前記波巻コイル部により構成されているとともに、各波巻コイルセットの一方の前記波巻コイル部が備える前記第一端部同士が接合されて波巻コイルセット間接合部が形成されており、前記波巻コイルセット間接合部で接合される一方の前記第一端部が設けられた前記突出部が第二異形突出部とされ、前記第二異形突出部は、当該第二異形突出部を備える前記セグメント導体の他方の突出部と前記コア基準面の周方向に関する延在方向が同じ方向とされ、前記第一層に前記導体辺部が配置されるとともに前記第二異形突出部を備えない前記セグメント導体の前記突出部である第二通常突出部に対して、前記径第一方向側にオフセットされたオフセット領域を有し、当該オフセット領域で前記コア基準面の径方向に見て前記第二通常突出部と交差するように配置されていると好適である。
【００２０】
この構成によれば、コイルエンド部の軸方向における大型化を抑制しつつ、２つの波巻コイルセットを互いに直列に接続することができる。また、この構成によれば、各相コイルが備える２つの波巻コイルセットのそれぞれについて、波巻コイルセットを構成する導体辺部が、周方向に沿って繰り返し現れる同相の隣接スロット組に含まれるいずれか１つのスロットに配置される。よって、同じスロット内で隣接して配置される導体辺部間の電位差を低減し、同相のコイルを構成するセグメント導体間での短絡を抑制することができる。
【００２１】
或いは、前記コイルは、第一相、第二相、及び第三相の各相に対応した相コイルを備え、前記電機子コアには、前記第一相用の互いに隣接する２つの前記スロットと、前記第二相用の互いに隣接する２つの前記スロットと、前記第三相用の互いに隣接する２つの前記スロットとが、記載の順に周方向に沿って繰り返し現れるように配置されており、各相コイルは、２つの前記波巻コイルセットを備え、前記２つの波巻コイルセットのそれぞれは、前記コア基準面の周方向に互いに１磁極ピッチと１スロットピッチとの和或いは差の分だけずらして配置された２つの前記波巻コイル部により構成されており、前記２つの波巻コイルセットは、互いに並列に接続されている構成としても好適である。
【００２２】
この構成によれば、互いに並列に接続される２つの波巻コイルセットのそれぞれについて、波巻コイルセットを構成する導体辺部が、周方向に沿って繰り返し現れる同相の隣接スロット組の内の２つのスロットに分かれて配置されるとともに、当該２つの波巻コイルセットが、互いに同じスロットに配置される。よって、界磁に配置される永久磁石や電磁石との距離を均一化して２つの波巻コイルセット間でインピーダンスに差が生じることを抑制することができ、結果、循環電流の抑制を図ることができる。
【図面の簡単な説明】
【００２３】
【図１】本発明の第一の実施形態に係る第一波巻コイルセットの斜視図である。
【図２】本発明の第一の実施形態に係る通常セグメント導体の斜視図である。
【図３】本発明の第一の実施形態に係る異形セグメント導体の斜視図である。
【図４】本発明の第一の実施形態に係る第一波巻コイル部の斜視図である。
【図５】本発明の第一の実施形態に係る相コイルの斜視図である。
【図６】本発明の第一の実施形態に係る相コイルの斜視図である。
【図７】本発明の第一の実施形態に係るステータの斜視図である。
【図８】本発明の第一の実施形態に係る第一波巻コイル部及び第二波巻コイル部の配線図である。
【図９】本発明の第一の実施形態に係る第三波巻コイル部及び第四波巻コイル部の配線図である。
【図１０】本発明の第一の実施形態に係る第十層セグメント導体の配置状態を示す模式図である。
【図１１】本発明の第一の実施形態に係る第一層セグメント導体の配置状態を示す模式図である。
【図１２】本発明の第二の実施形態に係る第一波巻コイルセットの斜視図である。
【図１３】本発明の第二の実施形態に係る第一波巻コイル部の斜視図である。
【図１４】本発明の第二の実施形態に係る相コイルの斜視図である。
【図１５】本発明の第二の実施形態に係る第一波巻コイル部及び第二波巻コイル部の配線図である。
【図１６】本発明の第二の実施形態に係る第三波巻コイル部及び第四波巻コイル部の配線図である。
【発明を実施するための形態】
【００２４】
１．第一の実施形態
本発明に係る回転電機用電機子の第一の実施形態について、図面（図１〜図１１）を参照して説明する。ここでは、本発明に係る回転電機用電機子を、インナロータ型の回転電機のステータ１（図７参照）に適用した場合を例として説明する。ステータ１が備えるコイル４は、セグメント導体５（図２、図３参照）を複数用いて構成されており、各相に対応した相コイル４１を備えている。そして、相コイル４１は、図５及び図６に示すように、周方向Ｃに互いにずらして配置された２つの波巻コイルセット９（第一波巻コイルセット９ａ及び第二波巻コイルセット９ｂ）を備え、各波巻コイルセット９は、図１に示すように、周方向Ｃに互いにずらして配置された２つの波巻コイル部８（図４参照）の端部（後述する第二端部８２）同士が接合されて形成されている。このような構成において、本実施形態に係るステータ１は、波巻コイルセット９を構成する２つの波巻コイル部８間の連結部の形態に特徴を有している。以下、本実施形態に係るステータ１の構成について、「ステータの全体構成」、「セグメント導体の構成」、「波巻コイル部及び波巻コイルセットの構成」、「相コイルの構成」の順に説明する。
【００２５】
以下の説明では、特に断らない限り、「軸方向Ｌ」、「周方向Ｃ」、「径方向Ｒ」は、後述する円筒状のコア基準面Ｓ（図７参照）の軸心を基準として定義している。また、以下の説明では、「軸第一方向Ｌ１」は図７における軸方向Ｌに沿った上方を表し、「軸第二方向Ｌ２」は図７における軸方向Ｌに沿った下方を表すものとする。また、以下の説明では、図７に示すように、「周第一方向Ｃ１」は、ステータ１を軸第一方向Ｌ１側から見た場合（軸第一方向Ｌ１側から軸第二方向Ｌ２側を見た場合）における時計回りの方向を表し、「周第二方向Ｃ２」は、ステータ１を軸第一方向Ｌ１側から見た場合における反時計回りの方向を表す。また、「径内方向Ｒ１」は、コア基準面Ｓの径方向Ｒの内側へ向かう方向を表し、「径外方向Ｒ２」は、コア基準面Ｓの径方向Ｒの外側へ向かう方向を表す。なお、以下の説明では、コイル４及びコイル４を構成する部材についての各方向は、これらがステータコア２に装着された状態での方向として規定している。
【００２６】
本実施形態では、ステータ１及びステータコア２が、それぞれ、本発明における「回転電機用電機子」及び「電機子コア」に相当する。また、本実施形態では、径内方向Ｒ１及び径外方向Ｒ２が、それぞれ、本発明における「径第二方向」及び「径第一方向」に相当する。
【００２７】
１−１．ステータの全体構成
本実施形態に係るステータ１の全体構成について説明する。図１は、各相の相コイル４１を構成する２つの波巻コイルセット９の内の一方である第一波巻コイルセット９ａを示している。詳細は後述するが、第一波巻コイルセット９ａは、図４に示す第一波巻コイル部８ａと、第一波巻コイル部８ａと同様に構成された第二波巻コイル部８ｂ（図１においてハッチングを施して強調して示しているコイル）とを互いに連結して形成されている。これらの第一波巻コイル部８ａ及び第二波巻コイル部８ｂは、図２及び図３に示すようなセグメント導体５を複数用いて構成されている。
【００２８】
そして、図５及び図６に示すように、第一波巻コイルセット９ａと、第一波巻コイルセット９ａと同様に構成された第二波巻コイルセット９ｂとが連結されて、１つの相コイル４１が形成されている。すなわち、本例では、相コイル４１は、２つの波巻コイルセット９を備えている。なお、図５と図６とは同じ相コイル４１を異なる視点から見た斜視図である。発明の理解を容易にすべく、図５では、後述する第十層セグメント導体５ｊにハッチングを施して強調して示し、図６では、後述する第一層セグメント導体５ａにハッチングを施して強調して示している。そして、各波巻コイルセット９の端部は、電源に接続される動力線と接合される動力線側端部９１、中性点を形成するための接続部材２１（図７参照）と接合される中性点側端部９２、或いは他の波巻コイルセット９と接合されるセット間端部９３とされる。
【００２９】
本実施形態では、ステータ１は、三相交流（Ｕ相、Ｖ相、Ｗ相）で駆動される回転電機に用いられるステータとされている。そのため、ステータ１が備えるコイル４は、Ｕ相、Ｖ相、及びＷ相の各相に対応した相コイル４１を備えている。なお、コイル４が備える各相の相コイル４１は同様の構成を有しているため（図７参照）、以下では各相の相コイル４１を特に区別することなく説明する。本実施形態では、Ｕ相、Ｖ相、及びＷ相が、それぞれ、本発明における「第一相」、「第二相」、及び「第三相」に相当する。
【００３０】
図７に示すように、３つの相コイル４１を備えるコイル４は、ステータ１が備えるステータコア２に波巻で巻装される。ここで、ステータコア２は磁性材料を用いて形成されており、コイル４を巻装可能とすべく、円筒状のコア基準面Ｓの軸方向Ｌに延びるスロット３が当該コア基準面Ｓの周方向Ｃに複数（本例では４８個）分散配置されてステータコア２が形成されている。複数のスロット３は、所定の周方向Ｃ間隔で配置されており、少なくとも軸方向Ｌに延びるように設けられている。本実施形態では、スロット３は、軸方向Ｌ及び径方向Ｒに延びると共に周方向Ｃに一定幅を有する溝状に形成されている。また、各スロット３は、径内方向Ｒ１側に開口（コア内周面に開口）するとともに、ステータコア２の軸方向Ｌの両側（軸方向両端面）に開口するように形成されている。以上により、ステータコア２には、複数のスロット３が、ステータコア２の軸心から放射状に径方向Ｒに延びるように形成されている。また、複数のスロット３は、互いに同じ形状とされている。
【００３１】
ステータコア２には、Ｕ相用、Ｖ相用、及びＷ相用のスロット３が、周方向Ｃに沿って繰り返し現れるように配置されている。本例では、ステータコア２には、毎極毎相あたりのスロット数が「２」となるように、Ｕ相用の互いに隣接する２つのスロット３と、Ｖ相用の互いに隣接する２つのスロット３と、Ｗ相用の互いに隣接する２つのスロット３とが、記載の順に周方向Ｃに沿って繰り返し現れるように配置されている。すなわち、各相について、隣接する２つのスロット３からなる隣接スロット組が周方向Ｃに沿って６スロットピッチで配置されている。
【００３２】
上記のようなステータコア２の構成に合わせて、相コイル４１は、スロット３内に配置される部分である導体辺部３１が、周方向Ｃに沿って６スロットピッチで配置された隣接スロット組に配置されるように構成されている。具体的には、図１及び図８に示すように、波巻コイルセット９を構成する導体辺部３１は、周方向Ｃに沿って６スロットピッチで配置されている。そして、相コイル４１は、図５及び図６に示すように、周方向Ｃに互いに１スロットピッチ分ずらして配置された２つの波巻コイルセット９を備えている。よって、各相コイル４１について、周方向Ｃに互いに１スロットピッチ分ずれた位置関係の２つの導体辺部３１が、周方向Ｃに沿って６スロットピッチで配置され、上記のようにスロット３が配置されたステータコア２に各相コイル４１を適切に巻装することが可能となっている。
【００３３】
各スロット３には、Ｎ個（Ｎは２以上の偶数、本例ではＮ＝１０）の導体辺部３１が同じ周方向Ｃの位置に並ぶように径方向Ｒに重ねられて一列に配置される。すなわち、本例では、コイル４は１０層巻構造とされている。本明細書では、スロット３内において径方向Ｒに配列される複数の導体辺部３１のそれぞれの径方向Ｒ位置を層で表す。具体的には、各スロット３内における導体辺部３１の位置に関して、最も径外方向Ｒ２側の位置を第一層とし、そこから径内方向Ｒ１側に向かって順に第二層、第三層、・・・第十層とする。このように、導体辺部３１は、スロット３内において径外方向Ｒ２側から径内方向Ｒ１側に向かって順に設定された第一層から第Ｎ層（本例では第十層）までのいずれかの層に配置される。
【００３４】
ところで、上述した「円筒状のコア基準面Ｓ」は、スロット３の配置や構成に関して基準となる仮想的な面である。本実施形態では、図７に示すように、互いに周方向Ｃに隣接するスロット３間に位置するティース３２の径内方向Ｒ１側の端面を含む仮想的な円筒状の面であるコア内周面を定義することができ、この円筒状のコア内周面を本発明における「円筒状のコア基準面Ｓ」とすることができる。また、円筒状のコア内周面と同心であって、軸方向Ｌ視（軸方向Ｌに沿って見た場合）における断面形状が当該コア内周面の軸方向Ｌ視における断面形状と相似の関係にある円筒状の面（仮想面を含む）も、本発明における「円筒状のコア基準面Ｓ」になり得る。例えば、後述する取付用突出部３３を除くステータコア２の外周面を「円筒状のコア基準面Ｓ」とすることができる。
【００３５】
本実施形態では、図７に示すように、ステータコア２の外周面における周方向Ｃの複数箇所に、ケース等への取り付けのための取付用突出部３３が設けられている。取付用突出部３３は、ステータコア２の外周面の他の部分に対して径外方向Ｒ２側へ突出すると共に軸方向Ｌに延びるように形成された凸条部分である。この取付用突出部３３には、軸方向Ｌに貫通する取付用孔３３ａが形成されている。
【００３６】
そして、図示は省略するが、ステータ１（ステータコア２）の径内方向Ｒ１側には、永久磁石や電磁石を備えた界磁としてのロータが、ステータ１に対して相対回転可能に配置される。そして、ステータ１から発生する回転磁界によりロータが回転する。このように、本実施形態に係るステータ１は、インナロータ型で回転界磁型の回転電機用の電機子であるステータとされている。言い換えれば、ステータ１は、界磁としてのロータに対して径方向Ｒに対向配置されて当該ロータとともに回転電機を構成する。
【００３７】
なお、ステータコア２は、例えば、円環板状の電磁鋼板を複数枚積層した積層構造体とし、或いは磁性材料の粉体（磁性材料を加圧成形してなる圧粉材）を主な構成要素として形成することができる。また、本実施形態では、ステータコア２には毎極毎相あたりのスロット数が「２」となるように複数のスロット３が形成されているが、毎極毎相あたりのスロット数は適宜変更可能である。例えば、毎極毎相あたりのスロット数を「１」や「３」等とすることができる。当然ながら、相コイル４１が備える波巻コイルセット９の個数は、毎極毎相あたりのスロット数に応じて適宜変更可能である。また、回転電機を駆動する交流電源の相数も適宜変更可能であり、例えば「１」、「２」、「４」、「６」等とすることができる。
【００３８】
１−２．セグメント導体の構成
次に、本実施形態に係る相コイル４１を構成するセグメント導体５の構成について、図２及び図３を参照して説明する。セグメント導体５は、相コイル４１を複数に分割したものに相当する導体であり、複数のセグメント導体５の端部同士を接合することにより相コイル４１が構成される。本実施形態では、図２及び図３に示すように、セグメント導体５は、延在方向（通電方向に等しい）に直交する断面の形状が矩形状、より詳しくは角部を円弧状とした矩形状の線状導体で構成されている。また、セグメント導体５は、後述する屈曲部（第一周方向屈曲部１１、第二周方向屈曲部１２、第一径方向屈曲部１３、第二径方向屈曲部１４）を除いて、基本的に、延在方向の位置にかかわらす同じ断面形状とされている。この線状導体を構成する材料は、例えば銅やアルミニウム等とすることができる。また、線状導体の表面は、異なるセグメント導体５と電気的に接続するための部分である接合部６１（接合面６０）等の一部を除いて、樹脂等（例えばポリイミド等）からなる絶縁皮膜により被覆されている。
【００３９】
セグメント導体５は、スロット３内に配置される導体辺部３１と、導体辺部３１から延びてステータコア２から軸方向Ｌの両側に突出する一対の突出部７とを備えている。導体辺部３１は、ステータコア２のスロット３に挿入されるセグメント導体５の部分であり、当該スロット３の形状に合致する形状とされている。ここでは、導体辺部３１は、軸方向Ｌと平行に延びる直線状に形成されている。そして、導体辺部３１は、線状導体の延在方向に直交する矩形断面における短辺が径方向Ｒに平行となり、長辺が周方向Ｃに平行となる向きでスロット３内に配置される。
【００４０】
以下では、セグメント導体５を導体辺部３１が配置されたスロット３内の層に基づき区分する場合には、当該層の番号をＭ（本例では、Ｍは１以上１０以下の整数）として、「第Ｍ層セグメント導体」と呼ぶ。すなわち、本例では、セグメント導体５として、図１に示すように、第一層セグメント導体５ａ、第二層セグメント導体５ｂ、第三層セグメント導体５ｃ、第四層セグメント導体５ｄ、第五層セグメント導体５ｅ、第六層セグメント導体５ｆ、第七層セグメント導体５ｇ、第八層セグメント導体５ｈ、第九層セグメント導体５ｉ、及び第十層セグメント導体５ｊを有している。
【００４１】
突出部７は、第一周方向屈曲部１１と、第二周方向屈曲部１２と、第一周方向屈曲部１１と第二周方向屈曲部１２との間の部分を構成する本体部７３と、第一径方向屈曲部１３とを備えている。第一周方向屈曲部１１は、本体部７３の延在方向を、導体辺部３１の延在方向に対して周方向Ｃに傾斜した方向とするための屈曲部である。そして、本体部７３の延在方向の傾斜角度は、第一周方向屈曲部１１の屈曲角に応じて定まる。
【００４２】
ここで、第一周方向屈曲部１１の屈曲角を、導体辺部３１の延在方向（軸方向Ｌ）に平行にステータコア２から離れる側へ延びる方向を基準（０度）として規定すると、第一周方向屈曲部１１の屈曲角は鋭角に設定される。そのため、本体部７３は、ステータコア２から軸方向Ｌに徐々に離れるにように形成される。言い換えれば、本体部７３は、ステータコア２から軸方向Ｌに離れるに従って周方向Ｃのいずれか一方側に向かうように形成される。
【００４３】
第二周方向屈曲部１２は、突出部７の先端部（延出元の導体辺部３１とは反対側の端部）の延在方向を、径方向Ｒに見て本体部７３の延在方向に対して傾斜した方向とするための屈曲部である。本例では、第二周方向屈曲部１２は、突出部７の先端部の延在方向を軸方向Ｌに平行な方向とするように形成されている。
【００４４】
第一径方向屈曲部１３は、突出部７の先端部を、接合対象の突出部７と同じ径方向Ｒの位置とするように、当該先端部を導体辺部３１側の部分に対して径方向Ｒにオフセットさせる屈曲部である。本例では、第一径方向屈曲部１３の径方向Ｒのオフセット量は、線状導体の径方向Ｒの厚さの半分（半層分）とされている（図１０及び図１１参照）。また、本例では、第一径方向屈曲部１３は、第二周方向屈曲部１２に対して突出部７の先端部側に隣接した位置に設けられている。本実施形態では、第一径方向屈曲部１３が、本発明における「オフセット屈曲部」に相当する。
【００４５】
突出部７の先端部は、基本的に、接合対象となる他のセグメント導体５の突出部７の先端部と接合される。そのため、突出部７の周方向Ｃの長さは、基本的に、当該突出部７の延出元の導体辺部３１と、接合対象となる他のセグメント導体５の導体辺部３１との周方向Ｃの離間距離に応じて設定される。ここで、各部材の周方向Ｃの延在長さは、軸方向Ｌに直交する面に投影した際の周方向Ｃの長さである。本例では、当該離間距離は基本的に６スロットピッチ分に設定されており、突出部７の周方向Ｃの長さは、基本的に、その概ね半分（約３スロットピッチ分）に設定されている。
【００４６】
相コイル４１は以上のような構成のセグメント導体５を複数用いて構成されるが、このセグメント導体５には、相コイル４１の大部分を構成する通常セグメント導体５１と、ある特定の部位にのみ用いられる異形セグメント導体５２とが含まれる。通常セグメント導体５１は、図２に示すように、上述した各構成を備え、軸方向Ｌの両側の第一周方向屈曲部１１の屈曲方向が互いに反対方向とされたセグメント導体５である。すなわち、通常セグメント導体５１の軸第一方向Ｌ１側の突出部７と、軸第二方向Ｌ２側の突出部７とは、導体辺部３１から延出した後、周方向Ｃの互いに反対側に向かって延びる形状とされ、延出元の導体辺部３１に対して周方向Ｃの互いに反対側に傾斜した本体部７３を備える。
【００４７】
一方、異形セグメント導体５２は、図３に示すように、上述した各構成に加えて更に第二径方向屈曲部１４を有するとともに、軸方向Ｌの両側の第一周方向屈曲部１１の屈曲方向が互いに同じ方向とされたセグメント導体５である。すなわち、異形セグメント導体５２の軸第一方向Ｌ１側の突出部７と、軸第二方向Ｌ２側の突出部７とは、導体辺部３１から延出した後、周方向Ｃの互いに同じ側に向かって延びる形状とされ、延出元の導体辺部３１に対して周方向Ｃの互いに同じ側に傾斜した本体部７３を備える。
【００４８】
第二径方向屈曲部１４は、図３、図１０、図１１に示すように、突出部７の先端部側の部分（先端側部分）を、導体辺部３１側の部分に対して径方向Ｒにオフセットさせる屈曲部である。本例では、第二径方向屈曲部１４の径方向Ｒのオフセット量は、線状導体の径方向Ｒの厚さ分（一層分）とされている。そして、異形セグメント導体５２は、一対の突出部７の内の一方（本例では軸第一方向Ｌ１側の突出部７）にのみ第二径方向屈曲部１４を備える。
【００４９】
以下では、第二径方向屈曲部１４を備えない突出部７を「通常突出部７１」とし、第二径方向屈曲部１４を備える突出部７を「異形突出部７２」とする。すなわち、通常セグメント導体５１は、軸方向Ｌの両側に通常突出部７１を備える。一方、異形セグメント導体５２は、軸方向Ｌの一方側（本例では軸第一方向Ｌ１側）に異形突出部７２を備え、軸方向Ｌの他方側（本例では軸第二方向Ｌ２側）に通常突出部７１を備える。すなわち、本例では、軸方向Ｌにおけるステータコア２に対して異形突出部７２が配置される側が軸第一方向Ｌ１とされている。そして、異形セグメント導体５２は、軸方向Ｌの両側の第一周方向屈曲部１１の屈曲方向が互いに同じ方向とされているため、異形突出部７２は、当該異形突出部７２を備える異形セグメント導体５２の他方の突出部７である通常突出部７１と、周方向Ｃに関する延在方向が同じ方向とされる。
【００５０】
そして、異形突出部７２は上記のような第二径方向屈曲部１４を備えることで、第二径方向屈曲部１４に対して先端側部分の少なくとも一部の領域が、スロット３内の互いに同じ層に導体辺部３１が配置された通常セグメント導体５の突出部７である通常突出部７１に対して、径方向Ｒのいずれか一方側にオフセットされた領域となる。以下では、この領域をオフセット領域Ｘと呼ぶ。本実施形態では、図３に示すように、本体部７３の全体がオフセット領域Ｘとされている。
【００５１】
１−３．波巻コイル部及び波巻コイルセットの構成
次に、上述したセグメント導体５により構成される波巻コイル部８、及び波巻コイル部８により構成される波巻コイルセット９の構成について説明する。上記のように、各相コイル４１は、２つの波巻コイルセット９、すなわち、第一波巻コイルセット９ａと第二波巻コイルセット９ｂとを備えている。そして、第一波巻コイルセット９ａと第二波巻コイルセット９ｂとは、これらの接合部である波巻コイルセット間接合部６１ａ（図５、図６参照）を構成する部分を除いて同様に構成されている。そして、各波巻コイルセット９は、セグメント導体５により構成される波巻コイル部８を２つ用いて構成されている。 
【００５２】
波巻コイル部８は、図４、図８、図９に示すように、異なるスロット３内の互いに隣接する層に導体辺部３１が配置された一対のセグメント導体５の突出部７同士を、周第一方向Ｃ１側に向かって軸方向Ｌの一方側と軸方向Ｌの他方側とで交互に順次接合して構成されている。本実施形態に係る相コイル４１は、図８及び図９に示すように、波巻コイル部８として、第一波巻コイルセット９ａを構成する第一波巻コイル部８ａ及び第二波巻コイル部８ｂと、第二波巻コイルセット９ｂを構成する第三波巻コイル部８ｃ及び第四波巻コイル部８ｄとを備えている。
【００５３】
これら４つの波巻コイル部８ａ〜８ｄは、端部（後述する第一端部８１及び第二端部８２）が設けられたセグメント導体５の種別や第一端部８１の種別を除いて同様に構成されている。ここで、セグメント導体５の種別とは、通常セグメント導体５１であるか異形セグメント導体５２であるかの種別であり、第一端部８１の種別とは、動力線側端部９１、中性点側端部９２、及びセット間端部９３のいずれを構成するかの種別である。以下では、第一波巻コイル部８ａの構成を中心について説明する。第二波巻コイル部８ｂ、第三波巻コイル部８ｃ、及び第四波巻コイル部８ｄについては、特に説明しない点については第一波巻コイル部８ａと同様とする。
【００５４】
１−３−１．第一波巻コイル部の構成
図４及び図８（ａ）に示すように、第一波巻コイル部８ａは、互いに６スロットピッチ（１磁極ピッチ）分離れたスロット３内に導体辺部３１が配置された、互いに隣接する層の奇数層セグメント導体と偶数層セグメント導体とを周第一方向Ｃ１側に向かって順次接合することで形成されている。ここで、奇数層セグメント導体は、導体辺部３１が奇数番目の層に配置されたセグメント導体５であり、本例では、第一層セグメント導体５ａ、第三層セグメント導体５ｃ、第五層セグメント導体５ｅ、第七層セグメント導体５ｇ、第九層セグメント導体５ｉが含まれる。また、偶数層セグメント導体は、導体辺部３１が偶数番目の層に配置されたセグメント導体５であり、本例では、第二層セグメント導体５ｂ、第四層セグメント導体５ｄ、第六層セグメント導体５ｆ、第八層セグメント導体５ｈ、第十層セグメント導体５ｊが含まれる。
【００５５】
上記のように、本実施形態では、ステータコア２には毎極毎相あたりのスロット数が「２」となるようにスロット３が配置されており、図８及び図９にはある１つの相のスロット３のみを示している。以下では、各相のスロット３について、周方向Ｃに隣接する２つの同相のスロット３の内の周第一方向Ｃ１側のスロット３からなる、互いに一定のピッチ（本例では１磁極ピッチに相当する６スロットピッチ）分離れたスロット３の群を「第一スロット群」とし、周方向Ｃに隣接する２つの同相のスロット３の内の周第二方向Ｃ２側のスロット３からなる、互いに６スロットピッチ分離れたスロット３の群を「第二スロット群」とする。図８の例では、スロット番号が「２」，「８」，「１４」，「２０」，「２６」，「３２」，「３８」，「４４」のスロット３が第一スロット群を構成し、スロット番号が「１」，「７」，「１３」，「１９」，「２５」，「３１」，「３７」，「４３」のスロット３が第二スロット群を構成する。
【００５６】
図８（ａ）に示すように、第一波巻コイル部８ａは、第一スロット群を構成する各スロット３に配置された複数（本例では４０個）のセグメント導体５により構成されている。そして、第一波巻コイル部８ａを構成するセグメント導体５は、全て通常セグメント導体５１とされている。なお、図８及び図９において各スロット３内に記された数字は、動力線と中性点との間の電流の経路に沿って動力線側から順に、当該電流の経路に沿って隣接する一対のセグメント導体５毎に「１」から順に付した識別番号である。そして、当該識別番号から図中横方向に延出する線分は、実線がステータコア２に対して軸第一方向Ｌ１側に配置された突出部７を表し、破線がステータコア２に対して軸第二方向Ｌ２側に配置された突出部７を表す。また、実線或いは破線の線分同士を接続する丸印が、突出部７の先端部同士の接合部６１を表している。なお、本実施形態では、図４に示すように、複数の接合部６１が、同じ周方向Ｃの位置に並ぶように径方向Ｒに重ねられて配置される。
【００５７】
第一波巻コイル部８ａの一方の端部である第一端部８１は、第一層セグメント導体５ａの突出部７に設けられ、他方の端部である第二端部８２は、第Ｎ層セグメント導体（本例では、第十層セグメント導体５ｊ）の突出部７に設けられている。具体的には、図８（ａ）に示すように、第一端部８１は、スロット番号が「１４」のスロット３に配置された識別番号が「１」の第一層セグメント導体５ａの突出部７に設けられ、第二端部８２は、スロット番号が「８」のスロット３に配置された識別番号が「２０」の第十層セグメント導体５ｊの突出部７に設けられている。そして、第一波巻コイル部８ａの第一端部８１は、動力線と接合される動力線側端部９１とされている。
【００５８】
第一波巻コイル部８ａの構成についてさらに詳しく見ると、図８（ａ）に示すように、４個の奇数層セグメント導体（例えば第一層セグメント導体５ａ）と４個の偶数層セグメント導体（例えば第二層セグメント導体５ｂ）とがステータコア２を周方向Ｃに一巡するように交互に接合されることにより、ステータコア２を１周（一巡回）する１ターン分のコイルが形成される。このような接合を実現すべく、奇数層セグメント導体は、軸第一方向Ｌ１側の突出部７（図中実線で表した突出部７）が、延出元の導体辺部３１から周第二方向Ｃ２側へ向かって延びるように形成されているとともに、軸第二方向Ｌ２側の突出部７（図中破線で表した突出部）が、延出元の導体辺部３１から周第一方向Ｃ１側へ向かって延びるように形成されている。また、偶数層セグメント導体は、軸第一方向Ｌ１側の突出部７が、延出元の導体辺部３１から周第一方向Ｃ１側へ向かって延びるように形成されているとともに、軸第二方向Ｌ２側の突出部７が、延出元の導体辺部３１から周第二方向Ｃ２側へ向かって延びるように形成されている。なお、異形セグメント導体５２については、軸方向Ｌの両側の突出部７が、延出元の導体辺部３１から周方向Ｃの同じ側へ向かって延びるように形成されている（図８（ｂ）、図９参照）。
【００５９】
別の観点から見ると、異形セグメント導体５２を除くセグメント導体５、すなわち通常セグメント導体５１は、一対の突出部７の内の第一端部８１側の突出部７が、延出元の導体辺部３１から周第二方向Ｃ２側へ向かって延びるように形成され、一対の突出部７の内の第二端部８２側の突出部７が、延出元の導体辺部３１から周第一方向Ｃ１側へ向かって延びるように形成されている。
【００６０】
そして、第一波巻コイル部８ａ全体では、２０個の奇数層セグメント導体と２０個の偶数層セグメント導体とにより、５ターン分のコイルが形成される。なお、径方向Ｒに隣接するターン間の連結部では、径外方向Ｒ２側のターンを構成する隣接する２つの層の内の径内方向Ｒ１側の層に導体辺部３１が配置された偶数層セグメント導体（例えば第二層セグメント導体）と、径内方向Ｒ１側のターンを構成する隣接する２つの層の内の径外方向Ｒ２側の層に導体辺部３１が配置された奇数層セグメント導体（例えば第三層セグメント導体）とが接合される。よって、ターン間の連結部も含めて、第一波巻コイル部８ａの全体が、異なるスロット３内の互いに隣接する層に導体辺部３１が配置された一対のセグメント導体５の突出部７同士を、周第一方向Ｃ１側に向かって軸方向Ｌの一方側と軸方向Ｌの他方側とで交互に順次接合して構成されている。
【００６１】
ところで、本実施形態では、突出部７のそれぞれには第一径方向屈曲部１３が形成されている。そして、接合対象の一対の突出部７のそれぞれに形成された第一径方向屈曲部１３は、図１０及び図１１に示すように、径方向Ｒにおける他方（接合対象）の突出部７に近づく側に突出部７の先端部をオフセットするように構成されている。本例では、接合対象の一対の突出部７のそれぞれの延出元の導体辺部３１は、スロット３内において互いに隣接する層に配置されており、第一径方向屈曲部１３のオフセット量は、線状導体の径方向Ｒの厚さの半分（半層分）とされている。これにより、接合対象となる一対の突出部７は、それぞれの先端部に形成された接合面６０（図２及び図３参照）同士が互いに周方向Ｃに対向して接合される。このような構成を備えることで、径方向に隣接する接合部６１同士の距離を適切に確保して、接合部６１間の電気的絶縁性を確保することが容易となっている。
【００６２】
１−３−２．第二波巻コイル部の構成
第二波巻コイル部８ｂは、図１及び図８（ｂ）に示すように、第一端部８１が第一波巻コイルセット９ａのセット間端部９３とされている点、及び、第二端部８２が設けられたセグメント導体５が異形セグメント導体５２とされている点を除いて、第一波巻コイル部８ａと同様に構成されている。
【００６３】
第二波巻コイル部８ｂは、第一波巻コイル部８ａに対して周第一方向Ｃ１側に６スロットピッチ分ずらして配置されている。すなわち、第二波巻コイル部８ｂは、第一波巻コイル部８ａと同様、第一スロット群を構成する各スロット３に配置された複数（４０個）のセグメント導体５により構成されている。そして、第一スロット群を構成する各スロット３において、第一波巻コイル部８ａを構成するセグメント導体５の導体辺部３１と、第二波巻コイル部８ｂを構成するセグメント導体５の導体辺部３１とが径方向Ｒに交互に配置されているとともに、第一スロット群を構成する周方向Ｃに隣り合うスロット３間で、径方向Ｒの順序が入れ替わるように配置されている。
【００６４】
図８（ｂ）に示すように、第二波巻コイル部８ｂの第一端部８１は、第一波巻コイル部８ａの第一端部８１が設けられた第一層セグメント導体５ａに対して周第一方向Ｃ１側に６スロットピッチ分ずれた位置関係の第一層セグメント導体５ａ、すなわち、スロット番号が「２０」のスロット３に配置された識別番号が「４０」の第一層セグメント導体５ａの突出部７に設けられている。また、第二波巻コイル部８ｂの第二端部８２は、第一波巻コイル部８ａの第二端部８２が設けられた第十層セグメント導体５ｊに対して周第一方向Ｃ１側に６スロットピッチ分ずれた位置関係の第十層セグメント導体５ｊ、すなわち、スロット番号が「１４」のスロット３に配置された識別番号が「２１」の第十層セグメント導体５ｊの突出部７に設けられている。第二波巻コイル部８ｂの第一端部８１は、第一波巻コイルセット９ａのセット間端部９３とされ、第二波巻コイルセット９ｂのセット間端部９３（第三波巻コイル部８ｃの第一端部８１）と接合される。
【００６５】
そして、周方向Ｃに互いにずらして（具体的には、１磁極ピッチに相当する６スロットピッチ分ずらして）配置された２つの波巻コイル部８である第一波巻コイル部８ａと第二波巻コイル部８ｂとを用い、それぞれの第二端部８２同士を接合することで、第一波巻コイルセット９ａが形成されている。ここで、図１、図８に示すように、第一波巻コイル部８ａと第二波巻コイル部８ｂとの連結部では、接合対象の一対の突出部７のそれぞれが、互いに同じ層（本例では第十層）に延出元の導体辺部３１が配置された突出部７となる。また、当該連結部において、動力線と中性点との間の電流の経路の周方向Ｃの向きが反転する。すなわち、第一波巻コイル部８ａ内では、動力線と中性点の間の電流の経路が、動力線側から中性点側に向かう際の周方向Ｃの向きが周第一方向Ｃ１となるように形成されているのに対し、第二波巻コイル部８ｂ内では、当該向きが周第二方向Ｃ２となるように電流の経路が形成されている。
【００６６】
上記のことに鑑みて、波巻コイルセット９を構成する一方の波巻コイル部８の第二端部８２が設けられた突出部７は、異形突出部７２とされる。すなわち、波巻コイルセット９を構成する一方の波巻コイル部８の第二端部８２が設けられたセグメント導体５は異形セグメント導体５２とされる。本例では、第一波巻コイル部８ａと第二波巻コイル部８ｂとの内の周第一方向Ｃ１側に位置する波巻コイル部８、すなわち、第二波巻コイル部８ｂの第二端部８２が設けられた突出部７が、異形突出部７２とされている。言い換えれば、第二波巻コイル部８ｂは、第二端部８２が設けられたセグメント導体５が異形セグメント導体５２とされている。
【００６７】
このように波巻コイルセット９を構成する一方の波巻コイル部８の第二端部８２が設けられた突出部７を、第二径方向屈曲部１４を備える異形突出部７２とすることで、セグメント導体５同士の干渉を避けつつ、コイルエンド部の軸方向Ｌの大型化が抑制された形態で波巻コイル部８同士を連結（第二端部８２同士を接合）することが可能となっている。この点について図１０に基づいて説明する。図１０は、各スロット３に配置される第十層セグメント導体５ｊの配置状態を、周方向Ｃの展開図として概念的に表したものである。なお、図１０においては、紙面手前側が径内方向Ｒ１側であり、紙面奥側が径外方向Ｒ２側である。
【００６８】
図１０に示すように、第十層セグメント導体５ｊは、異形セグメント導体５２を除き、軸第一方向Ｌ１側の突出部７が、延出元の導体辺部３１から周第一方向Ｃ１側へ向かって延びるように形成されているとともに、軸第二方向Ｌ２側の突出部７が、延出元の導体辺部３１から周第二方向Ｃ２側へ向かって延びるように形成されている。一方、導体辺部３１が第十層に配置された異形セグメント導体５２は、一対の突出部７の双方が、延出元の導体辺部３１から周第二方向Ｃ２側へ向かって延びるように形成されている。
【００６９】
そのため、導体辺部３１が第十層に配置された異形セグメント導体５２の軸第一方向Ｌ１側の突出部７（異形突出部７２）と、導体辺部３１が第十層に配置された通常セグメント導体５１の軸第一方向Ｌ１側の突出部７（通常突出部７１）とは、径方向Ｒに見て交差するように配置される。この際の干渉を避けるべく、この異形突出部７２は、延出元の導体辺部３１が第十層に配置された通常突出部７１に対して径内方向Ｒ１側にオフセットされたオフセット領域Ｘを有し、当該オフセット領域Ｘで径方向Ｒに見て当該通常突出部７１と交差するように配置されている。本実施形態では、導体辺部３１が第十層に配置された異形セグメント導体５２の異形突出部７２が、本発明における「第一異形突出部」に相当し、導体辺部３１が第十層に配置された通常セグメント導体５１の軸第一方向Ｌ１側の通常突出部７１が、本発明における「第一通常突出部」に相当する。
【００７０】
また、第一波巻コイルセット９ａが備える第二端部８２同士の接合部６１は、図１に示すように、径方向Ｒに見て、第一波巻コイルセット９ａを構成する一方の波巻コイル部８（本例では、第一波巻コイル部８ａ）内の突出部７同士の接合部６１と重複する位置に配置されている。これにより、接合部６１の位置が周方向Ｃや軸方向Ｌに分散することを抑制することができ、製造工程の簡素化を図ることが可能となっている。
【００７１】
１−３−３．第三波巻コイル部及び第四波巻コイル部の構成
第三波巻コイル部８ｃは、図９（ａ）に示すように、第一端部８１が第二波巻コイルセット９ｂのセット間端部９３とされているとともに当該第一端部８１が設けられたセグメント導体５が異形セグメント導体５２である点を除いて、第一波巻コイル部８ａと同様に構成されている。そして、第三波巻コイル部８ｃは、第一波巻コイル部８ａに対して周第二方向Ｃ２側に１スロットピッチ分ずらして配置されている。すなわち、第三波巻コイル部８ｃは、第二スロット群を構成する各スロット３に配置された複数（４０個）のセグメント導体５により構成されている。
【００７２】
また、第四波巻コイル部８ｄは、図９（ｂ）に示すように、第一端部８１が中性点を形成するための接続部材２１（図７参照）と接合される中性点側端部９２とされている点を除いて、第二波巻コイル部８ｂと同様に構成されている。そして、第四波巻コイル部８ｄは、第二波巻コイル部８ｂに対して周第二方向Ｃ２側に１スロットピッチ分ずらして配置されている。すなわち、第四波巻コイル部８ｄは、第二スロット群を構成する各スロット３に配置された複数（４０個）のセグメント導体５により構成されている。
【００７３】
第二スロット群を構成する各スロット３において、第三波巻コイル部８ｃを構成するセグメント導体５の導体辺部３１と、第四波巻コイル部８ｄを構成するセグメント導体５の導体辺部３１とが径方向Ｒに交互に配置されているとともに、第二スロット群を構成する周方向Ｃに隣り合うスロット３間で、径方向Ｒの順序が入れ替わるように配置されている。
【００７４】
そして、周方向Ｃに互いにずらして（具体的には、１磁極ピッチに相当する６スロットピッチ分ずらして）配置された２つの波巻コイル部８である第三波巻コイル部８ｃと第四波巻コイル部８ｄとを用い、それぞれの第二端部８２同士を接合することで、第二波巻コイルセット９ｂが形成されている。そして、第三波巻コイル部８ｃと第四波巻コイル部８ｄとの内の周第一方向Ｃ１側に位置する波巻コイル部８、すなわち、第四波巻コイル部８ｄの第二端部８２が設けられた突出部７が、異形突出部７２とされている。言い換えれば、第四波巻コイル部８ｄは、第二端部８２が設けられたセグメント導体５が異形セグメント導体５２とされている。なお、第二波巻コイルセット９ｂは、第一端部８１が設けられたセグメント導体５の種別や第一端部８１の種別を除いて第一波巻コイルセット９ａと同様に構成されているため、詳細な説明は省略する。
【００７５】
１−４．相コイルの構成
次に、本実施形態に係る相コイル４の構成について説明する。相コイル４１は、２つの波巻コイルセット９、具体的には、上述した第一波巻コイルセット９ａ及び第二波巻コイルセット９ｂを備えて構成されている。上記のように、第一波巻コイルセット９ａ及び第二波巻コイルセット９ｂの双方は、周方向Ｃに互いに１磁極ピッチ分（本例では６スロットピッチ分）ずらして配置された２つの波巻コイル部８により構成されている。そして、図５、図６、図８、図９に示すように、第一波巻コイルセット９ａと第二波巻コイルセット９ｂとは、周方向Ｃに互いに１スロットピッチ分ずらして配置されている。具体的には、第二波巻コイルセット９ｂは、第一波巻コイルセット９ａに対して周第二方向Ｃ２側に１スロットピッチ分ずらして配置されている。
【００７６】
そして、第一波巻コイルセット９ａを構成する２つの波巻コイル部８の一方が備える第一端部８１と、第二波巻コイルセット９ｂを構成する２つの波巻コイル部８の一方が備える第一端部８１とが接合されて、波巻コイルセット間接合部６１ａが形成されている。具体的には、第一波巻コイルセット９ａを構成する第二波巻コイル部８ｂの第一端部８１が、第一波巻コイルセット９ａのセット間端部９３とされ、第二波巻コイルセット９ｂを構成する第三波巻コイル部８ｃの第一端部８１が、第二波巻コイルセット９ｂのセット間端部９３とされ、これらのセット間端部９３同士が接合されて波巻コイルセット間接合部６１ａが形成されている。
【００７７】
このように、第一波巻コイルセット９ａと第二波巻コイルセット９ｂとは直列に接続される。この際、図５に示すように、相コイル４１の動力線側の端部となる動力線側端部９１と、中性点側の端部となる中性点側端部９２との双方が、径方向Ｒの同じ側（本例では径外方向Ｒ２側）の端部に配置されるため、配線の取り回しに関して有利な構成となっている。
【００７８】
ここで、図５、図６、図８（ｂ）、図９（ａ）に示すように、第一波巻コイルセット９ａと第二波巻コイルセット９ｂとの連結部である波巻コイルセット間接合部６１ａでは、接合対象の一対の突出部７のそれぞれが、互いに同じ層（本例では第一層）に延出元の導体辺部３１が配置された突出部７となる。また、当該連結部において、動力線と中性点との間の電流経路の周方向Ｃの向きが反転する。
【００７９】
上記のことに鑑みて、波巻コイルセット間接合部６１ａで接合される一方の第一端部８１が設けられた突出部７は、異形突出部７２とされる。すなわち、波巻コイルセット間接合部６１ａで接合される一方の第一端部８１が設けられたセグメント導体５は異形セグメント導体５２とされる。本例では、第一波巻コイルセット９ａと第二波巻コイルセット９ｂとの内の周第二方向Ｃ２側に位置する波巻コイルセット９、すなわち、第二波巻コイルセット９ｂの一方の第一端部８１が設けられた突出部７が、異形突出部７２とされている。言い換えれば、第二波巻コイルセット９ｂは、第一端部８１が設けられた２つのセグメント導体５の一方が異形セグメント導体５２とされる。
【００８０】
このように波巻コイルセット間接合部６１ａで接合される一方の第一端部８１が設けられた突出部７を異形突出部７２とすることで、セグメント導体５同士の干渉を避けつつ波巻コイルセット９同士を連結することが可能となっている。この点について図１１に基づいて説明する。図１１は、各スロット３に配置される第一層セグメント導体５ａの配置状態を、周方向Ｃの展開図として概念的に表したものである。なお、図１１においては、紙面手前側が径内方向Ｒ１側であり、紙面奥側が径外方向Ｒ２側である。
【００８１】
図１１に示すように、第一層セグメント導体５ａは、異形セグメント導体５２を除き、軸第一方向Ｌ１側の突出部７が、延出元の導体辺部３１から周第二方向Ｃ２側へ向かって延びるように形成されているとともに、軸第二方向Ｌ２側の突出部７が、延出元の導体辺部３１から周第一方向Ｃ１側へ向かって延びるように形成されている。一方、導体辺部３１が第一層に配置された異形セグメント導体５２は、一対の突出部７の双方が、延出元の導体辺部３１から周第一方向Ｃ１側へ向かって延びるように形成されている。
【００８２】
そのため、導体辺部３１が第一層に配置された異形セグメント導体５２の軸第一方向Ｌ１側の突出部７（異形突出部７２）と、導体辺部３１が第一層に配置された通常セグメント導体５１の軸第一方向Ｌ１側の突出部７（通常突出部７１）とは、径方向Ｒに見て交差するように配置される。この際の干渉を避けるべく、この異形突出部７２は、延出元の導体辺部３１が第一層に配置された通常突出部７１に対して径外方向Ｒ２側にオフセットされたオフセット領域Ｘを有し、当該オフセット領域Ｘで径方向Ｒに見て当該通常突出部７１と交差するように配置されている。また、この異形突出部７２は、延出元の導体辺部３１に対して周方向Ｃに７スロットピッチ分離間した導体辺部３１から延出する通常突出部７１と接合されるため、この異形突出部７２の周方向Ｃの長さは、他の突出部７の周方向Ｃの長さ（約３スロットピッチ分）に対して１スロットピッチ分長い約４スロットピッチ分に設定されている。本実施形態では、導体辺部３１が第一層に配置された異形セグメント導体５２の異形突出部７２が、本発明における「第二異形突出部」に相当し、導体辺部３１が第一層に配置された通常セグメント導体５１の軸第一方向Ｌ１側の通常突出部７１が、本発明における「第二通常突出部」に相当する。
【００８３】
以上のように、本実施形態では、相コイル４１は、第二波巻コイル部８ｂの第二端部８２が設けられた突出部７、第四波巻コイル部８ｄの第二端部８２が設けられた突出部７、及び、第三波巻コイル部８ｃの第一端部８１が設けられた突出部７が、異形突出部７２とされている。そして、異形突出部７２の配置箇所では、オフセット領域Ｘのオフセット量の分だけコイルエンド部が径方向Ｒに大型化する。この点に関し、図５及び図６に示すように、本実施形態では、上記３つの異形突出部７２が全て、ステータコア２に対して軸第一方向Ｌ１側に配置されている。
【００８４】
そして、コイル４が備える３つの相コイル４１の全てについて、それぞれが備える３つの異形突出部７２がステータコア２に対して軸第一方向Ｌ１側に配置されている。これにより、異形突出部７２が配置されることによるコイルエンド部の径方向Ｒの大型化を、ステータコア２に対して軸方向Ｌの一方側（本例では軸第一方向Ｌ１側）のみにすることができる。よって、ロータ（図示せず）をステータコア２の径内方向Ｒ１側に配置する際に、ロータをステータコア２に対して軸方向Ｌの他方側（本例では軸第二方向Ｌ２側）から挿入する構成とすることで、ロータとステータ１との干渉を防止しつつロータをステータコア２の径内方向Ｒ１側に適切に配置することができる。
【００８５】
また、本実施形態では、第一波巻コイルセット９ａと第二波巻コイルセット９ｂとが直列に接続される。そして、第一波巻コイルセット９ａを構成する第一波巻コイル部８ａ及び第二波巻コイル部８ｂの双方は、導体辺部３１が第一スロット群に配置されている。また、第二波巻コイルセット９ｂを構成する第三波巻コイル部８ｃ及び第四波巻コイル部８ｄの双方は、導体辺部３１が第二スロット群に配置されている。すなわち、互いに直列に接続される２つの波巻コイルセット９のそれぞれについて、波巻コイルセット９を構成する導体辺部３１は、周方向Ｃに沿って繰り返し現れる同相の隣接スロット組に含まれるいずれか１つのスロット３に配置される。言い換えれば、波巻コイルセット９を流れる電流は、一方の第一端部８１から他方の第一端部８１へとスロット３内を径方向Ｒに往復する際に、周方向Ｃに沿って繰り返し現れる同相の隣接スロット組に含まれる１つのスロット３内を流れる。これにより、同じスロット３内で隣接して配置される導体辺部３１間の電位差を低減し、同相のコイルを構成するセグメント導体５間での短絡の抑制を図ることが可能となっている。
【００８６】
さらに、本実施形態では、相コイル４１の全体が、上述した通常セグメント導体５１及び異形セグメント導体５２で構成されるため、ステータ１の製造時に、予め屈曲部（第一周方向屈曲部１１、第二周方向屈曲部１２、第一径方向屈曲部１３、及び第二径方向屈曲部１４）が形成されたセグメント導体５を径内方向Ｒ１側からスロット３に挿入する構成とすることができる。このような構成とした場合、スロット３への挿入後にセグメント導体５に対して折り曲げ等の加工を行う必要がないため、そのような加工によってセグメント導体５を覆う絶縁皮膜が損傷することがない。また、セグメント導体５をスロット３に挿入する際にセグメント導体５を変形させる必要がないため、スロット３への挿入時にセグメント導体５を覆う絶縁皮膜が損傷することもない。従って、セグメント導体５の突出部７に粉体塗装等で絶縁被覆材を固着させる工程を行う場合であっても、そのような工程をセグメント導体５のスロット３への挿入前に実行できる。また、層毎に各層を構成するセグメント導体５を一度にスロット３に挿入する必要性は必ずしもなく、セグメント導体５を一本ずつスロット３に挿入することもできる。以上のように、本実施形態に係るステータ１は、製造性の面でも有利な構成となっている。
【００８７】
２．第二の実施形態
次に、本発明に係る回転電機用電機子の第二の実施形態について、図面（図１２〜図１６）を参照して説明する。本実施形態に係る回転電機用電機子は、上記第一の実施形態と同様、インナロータ型の回転電機のステータ１とされ、相コイル４１が、図１４に示すように、周方向Ｃに互いにずらして配置された２つの波巻コイルセット９（第一波巻コイルセット９ａ及び第二波巻コイルセット９ｂ）を備えて構成されている。しかし、本実施形態に係るステータ１は、相コイル４１を構成する第一波巻コイルセット９ａと第二波巻コイルセット９ｂとが互いに並列に接続されている点で、上記第一の実施形態とは異なる。以下、本実施形態に係るステータ１の構成について、上記第一の実施形態との相違点を中心に説明する。なお、特に説明しない点については、上記第一の実施形態と同様とする。図１２、図１３、図１４、図１５、図１６は、それぞれ、上記第一の実施形態に係る図１、図４、図５、図８、図９に対応する。
【００８８】
本例でも、相コイル４１は、図１４に示すように、２つの波巻コイルセット９、すなわち、第一波巻コイルセット９ａと第二波巻コイルセット９ｂとを備えている。そして、第一波巻コイルセット９ａと第二波巻コイルセット９ｂとは、周第一方向Ｃ１側の第一端部８１の種別と、周第二方向側の第一端部８１の種別とが入れ替わる点を除いて同様に構成されている。そして、各波巻コイルセット９は、２つの波巻コイル部８を用いて構成されている。
【００８９】
波巻コイル部８は、図１３、図１５、図１６に示すように、異なるスロット３内の互いに隣接する層に導体辺部３１が配置された一対のセグメント導体５の突出部７同士を、周第一方向Ｃ１側に向かって軸方向Ｌの一方側と軸方向Ｌの他方側とで交互に順次接合して構成されている。本実施形態に係る相コイル４１は、図１５及び図１６に示すように、波巻コイル部８として、第一波巻コイルセット９ａを構成する第一波巻コイル部８ａ及び第二波巻コイル部８ｂと、第二波巻コイルセット９ｂを構成する第三波巻コイル部８ｃ及び第四波巻コイル部８ｄとを備えている。なお、本実施形態では、上記第一の実施形態とは異なり、ステータ１を軸第一方向Ｌ１側から見た場合における反時計回りの方向が「周第一方向Ｃ１」となり、ステータ１を軸第一方向Ｌ１側から見た場合における時計回りの方向が「周第二方向Ｃ２」となっている。また、本実施形態では、コイル４は６層巻構造とされている。
【００９０】
図１３及び図１５に示すように、第一波巻コイル部８ａは、第一端部８１が動力線側端部９１とされている。また、第二波巻コイル部８ｂは、第一端部８１が中性点側端部９２とされているとともに、第二端部８２が設けられたセグメント導体５が異形セグメント導体５２とされている。そして、第二波巻コイル部８ｂは、第一波巻コイル部８ａに対して周第一方向Ｃ１側に７スロットピッチ分ずらして配置されている。すなわち、本例では、第二波巻コイル部８ｂは、第一スロット群を構成する各スロット３に配置された複数（本例では２４個）のセグメント導体５により構成されているのに対し、第一波巻コイル部８ａは、第二スロット群を構成する各スロット３に配置された複数（２４個）のセグメント導体５により構成されている。そして、第一波巻コイル部８ａを構成するセグメント導体５の導体辺部３１と、第二波巻コイル部８ｂを構成するセグメント導体５の導体辺部３１とは、周方向Ｃに隣接する２つのスロット３に分かれて、径方向Ｒに交互に配置されている。
【００９１】
そして、周方向Ｃに互いにずらして（具体的には１磁極ピッチと１スロットピッチとの和の分だけずらして）配置された２つの波巻コイル部８である第一波巻コイル部８ａと第二波巻コイル部８ｂとを用い、それぞれの第二端部８２同士を接合することで、第一波巻コイルセット９ａが形成されている。よって、本例では、波巻コイルセット９を構成する導体辺部３１は、互いに隣接する２つの導体辺部３１が、周方向Ｃに沿って６スロットピッチで現れるように構成されている。
【００９２】
第三波巻コイル部８ｃは、図１６（ａ）に示すように、第一端部８１が動力線側端部９１とされている点を除いて、第二波巻コイル部８ｂと同様に構成されている。そして、第三波巻コイル部８ｃは、第二波巻コイル部８ｂに対して周第二方向Ｃ２側に６スロットピッチ分ずらして配置されている。
【００９３】
また、第四波巻コイル部８ｄは、図１６（ｂ）に示すように、第一端部８１が中性点側端部９２とされている点を除いて、第一波巻コイル部８ａと同様に構成されている。そして、第四波巻コイル部８ｄは、第一波巻コイル部８ａに対して周第二方向Ｃ２側に６スロットピッチ分ずらして配置されている。
【００９４】
そして、周方向Ｃに互いにずらして（具体的には１磁極ピッチと１スロットピッチとの和の分だけずらして）配置された２つの波巻コイル部８である第三波巻コイル部８ｃと第四波巻コイル部８ｄとを用い、それぞれの第二端部８２同士を接合することで、第二波巻コイルセット９ｂが形成されている。この第二波巻コイルセット９ｂは、上述したように、周第一方向Ｃ１側の第一端部８１の種別と、周第二方向Ｃ２側の第一端部８１の種別とが入れ替わる点を除いて同様に構成されている。
【００９５】
すなわち、第一波巻コイルセット９ａは、図１４及び図１５に示すように、２つの第一端部８１の内の周第一方向Ｃ１側の第一端部８１が中性点側端部９２とされ、周第二方向Ｃ２側の第一端部８１が動力線側端部９１とされている。一方、第二波巻コイルセット９ｂは、図１４及び図１６に示すように、２つの第一端部８１の内の周第一方向Ｃ１側の第一端部８１が動力線側端部９１とされ、周第二方向Ｃ２側の第一端部８１が中性点側端部９２とされている。そして、第一波巻コイルセット９ａと第二波巻コイルセット９ｂとは、それぞれの動力線側端部９１同士及び中性点側端部９２同士が接続部材（図示せず）を介して電気的に接続されることで、互いに並列に接続される。
【００９６】
上記のように、本実施形態では、第一波巻コイルセット９ａと第二波巻コイルセット９ｂとは互いに並列に接続される。そして、第一波巻コイルセット９ａ及び第二波巻コイルセット９ｂの双方は、一方の波巻コイル部８の導体辺部３１が第一スロット群に配置されるとともに、他方の波巻コイル部８の導体辺部３１が第二スロット群に配置されている。すなわち、互いに並列に接続される２つの波巻コイルセット９のそれぞれについて、波巻コイルセット９を構成する導体辺部３１が、周方向Ｃに沿って繰り返し現れる同相の隣接スロット組の内の２つのスロット３に分かれて配置されるとともに、当該２つの波巻コイルセット９は、互いに同じスロット３に配置される。これにより、ロータに配置される永久磁石や電磁石との距離を均一化して２つの波巻コイルセット９間でインピーダンスに差が生じることを抑制することができ、結果、循環電流を抑制することが可能となっている。
【００９７】
３．その他の実施形態
最後に、本発明に係るその他の実施形態を説明する。なお、以下の各々の実施形態で開示される特徴は、その実施形態でのみ利用できるものではなく、矛盾が生じない限り、別の実施形態にも適用可能である。
【００９８】
（１）上記第一の実施形態では、波巻コイルセット９のそれぞれが、周方向Ｃに互いに１磁極ピッチ分（６スロットピッチ分）ずらして配置された２つの波巻コイル部８により構成されている場合を例として説明した。しかし、本発明の実施形態はこれに限定されるものではなく、上記第一の実施形態において、波巻コイルセット９のそれぞれを、周方向Ｃに互いに１磁極ピッチと１スロットピッチとの和或いは差の分だけずらして配置された２つの波巻コイル部８により構成することもできる。また、上記第二の実施形態では、波巻コイルセット９のそれぞれが、周方向Ｃに互いに１磁極ピッチと１スロットピッチとの和の分だけずらして配置された２つの波巻コイル部８により構成されている場合を例として説明した。しかし、本発明の実施形態はこれに限定されるものではなく、上記第二の実施形態において、波巻コイルセット９のそれぞれを、周方向Ｃに互いに１磁極ピッチ分（６スロットピッチ分）ずらして配置された２つの波巻コイル部８により構成したり、周方向Ｃに互いに１磁極ピッチと１スロットピッチとの差の分（５スロットピッチ分）だけずらして配置された２つの波巻コイル部８により構成したりすることもできる。
【００９９】
（２）上記の各実施形態では、接合対象となる一対の突出部７の双方が、第一径方向屈曲部１３を備える構成を例として説明した。しかし、本発明の実施形態はこれに限定されるものではなく、接合対象となる一対の突出部７の一方のみが第一径方向屈曲部１３を備える構成とすることもできる。この場合、第一径方向屈曲部１３のオフセット量を、線状導体の径方向Ｒの厚さ分（一層分）に設定すると好適である。また、接合対象となる一対の突出部７の双方が第一径方向屈曲部１３を備えず、当該一対の突出部７が、それぞれの先端部に形成された接合面同士が互いに径方向Ｒに対向して接合される構成とすることも、本発明の好適な実施形態の一つである。
【０１００】
（３）上記の各実施形態では、セグメント導体５が備える一対の突出部７の双方が、第一周方向屈曲部１１及び第二周方向屈曲部１２を備える構成を例として説明した。しかし、本発明の実施形態はこれに限定されるものではなく、セグメント導体５が備える一対の突出部７の一方のみが、第一周方向屈曲部１１及び第二周方向屈曲部１２を備え、他方の突出部７が導体辺部３１と同じ周方向Ｃの位置に形成された構成とすることもできる。この場合、当該他方の突出部７を、導体辺部３１の延長線上に配置された直線状、すなわち、導体辺部３１と同一直線状に形成することができ、或いは導体辺部３１に対して径方向Ｒにオフセットさせた位置で軸方向Ｌに延びる直線状に形成することができる。そして、このような構成では、異形セグメント導体５２の軸方向Ｌの両側の突出部７が共に軸方向Ｌに平行に延びる直線状となる場合がある。この場合でも、当該両側の突出部７はいずれも周方向Ｃに延在しないという意味で、これら両側の突出部７は、周方向Ｃに関する延在方向が同じ方向となる。
【０１０１】
（４）上記の各実施形態では、波巻コイルセット９が備える第二端部８２同士の接合部６１が、径方向Ｒに見て、当該波巻コイルセット９を構成する一方の波巻コイル部８内の突出部７同士の接合部６１と重複する位置に配置されている構成を例として説明した。しかし、本発明の実施形態はこれに限定されるものではなく、波巻コイルセット９が備える第二端部８２同士の接合部６１が、当該波巻コイルセット９を構成する波巻コイル部８内の突出部７同士の接合部６１に対して周方向Ｃ或いは軸方向Ｌにずれて配置された構成とすることも可能である。
【０１０２】
（５）上記の各実施形態では、コイル４が備える全ての異形突出部７２が、ステータコア２に対して軸方向Ｌの一方側（軸第一方向Ｌ１側）に配置されている構成を例として説明した。しかし、本発明の実施形態はこれに限定されるものではなく、コイル４が複数の異形突出部７２を備える場合に、複数の異形突出部７２がステータコア２に対して軸方向Ｌの両側に分かれて配置された構成することもできる。
【０１０３】
（６）上記の各実施形態では、径内方向Ｒ１及び径外方向Ｒ２が、それぞれ、本発明における「径第二方向」及び「径第一方向」に相当する構成を例として説明した。しかし、本発明の実施形態はこれに限定されるものではなく、上記の各実施形態において径内方向Ｒ１と径外方向Ｒ２とを入れ替えた構成、すなわち、径内方向Ｒ１及び径外方向Ｒ２が、それぞれ、本発明における「径第一方向」及び「径第二方向」に相当する構成とすることもできる。このような構成では、導体辺部３１は、スロット３内において径内方向Ｒ１側から径外方向Ｒ２側に向かって順に設定された第一層から第Ｎ層までのいずれかの層に配置される構成となり、相コイル４１の動力線側端部９１と中性点側端部９２との双方が、径内方向Ｒ１側の端部に配置される。
【０１０４】
（７）上記の各実施形態では、セグメント導体５を構成する線状導体の延在方向に直交する断面の形状が矩形状である構成を例として説明した。しかし、本発明の実施形態はこれに限定されるものではなく、当該線状導体の断面形状を、円形状、楕円形状、矩形以外の多角形状等とすることも可能である。
【０１０５】
（８）上記の各実施形態では、本発明に係る回転電機用電機子を、インナロータ型の回転電機用のステータに適用した場合を例として説明したが、アウタロータ型の回転電機用のステータに適用することもできる。また、本発明に係る回転電機用電機子を、固定界磁型の回転電機用のロータに適用することも可能である。
【０１０６】
（９）その他の構成に関しても、本明細書において開示された実施形態は全ての点で例示であって、本発明の実施形態はこれに限定されない。すなわち、本願の特許請求の範囲に記載された構成及びこれと均等な構成を備えている限り、特許請求の範囲に記載されていない構成の一部を適宜改変した構成も、当然に本発明の技術的範囲に属する。
【産業上の利用可能性】
【０１０７】
本発明は、円筒状のコア基準面の軸方向に延びるスロットが当該コア基準面の周方向に複数分散配置されてなる電機子コアと、電機子コアに巻装されるコイルと、を備えた回転電機用電機子に好適に利用することができる。
【符号の説明】
【０１０８】
１：ステータ（回転電機用電機子）
２：ステータコア（電機子コア）
３：スロット
４：コイル
５：セグメント導体
７：突出部
９：波巻コイルセット
１３：第一径方向屈曲部（オフセット屈曲部）
３１：導体辺部
４１：相コイル
５１：通常セグメント導体
５２：異形セグメント導体
６０：接合面
６１：接合部
６１ａ：波巻コイルセット間接合部
７１：通常突出部
７２：異形突出部
８：波巻コイル部
８１：第一端部
８２：第二端部
Ｘ：オフセット領域
Ｓ：コア基準面
Ｌ：軸方向
Ｌ２：軸第二方向
Ｃ：周方向
Ｃ１：周第一方向
Ｃ２：周第二方向
Ｒ：径方向
Ｒ１：径内方向（径第二方向）
Ｒ２：径外方向（径第一方向）
【図１】
0005516989.tif 000002
【図２】
0005516989.tif 000003
【図３】
0005516989.tif 000004
【図４】
0005516989.tif 000005
【図５】
0005516989.tif 000006
【図６】
0005516989.tif 000007
【図７】
0005516989.tif 000008
【図８】
0005516989.tif 000009
【図９】
0005516989.tif 000010
【図１０】
0005516989.tif 000011
【図１１】
0005516989.tif 000012
【図１２】
0005516989.tif 000013
【図１３】
0005516989.tif 000014
【図１４】
0005516989.tif 000015
【図１５】
0005516989.tif 000016
【図１６】
0005516989.tif 000017